(57)【特許請求の範囲】
【請求項１】
ＤＶＤの内容を表す情報を発生するシステムであって、前記ＤＶＤは、前記情報が、ビデオ内容と、１つ以上の汎用ＤＶＤパラメータレジスタ（ＧＰＲＭ）へ挿入するための埋め込まれている命令とを含むように既に構成されていて、前記システムは、
前記ＤＶＤを再生して前記ＤＶＤの内容を表す前記情報を発生するものであって、前記情報に埋め込まれている特定の命令を受信すると、現在表示されているメニュのインデックスを１つ以上の前記ＧＰＲＭへ書き込むＤＶＤ装置と、
前記ＤＶＤ装置によって発生された前記情報を受信して、前記ＤＶＤに関連するテキストデータ・マネージャー（ＴＸＴＤＴ ＭＧ）データ構造を抽出し、さらに、前記情報に含まれている前記ビデオ内容を抽出して表示するメディア装置と、
ユニバーサルリソースロケータ（ＵＲＬ）によって指定された内容を表示するためのブラウザとを具備し、
前記ＵＲＬは、前記ＧＰＲＭ内の前記インデックスを使用して前記ＴＸＴＤＴ ＭＧデータ構造を指し示し、１つ以上のＵＲＬの位置を特定することによって導出されるシステム。
【請求項２】
前記ＵＲＬは、ＤＶＤテキストデータパーサと、前記ＴＸＴＤＴ ＭＧデータ構造を指し示す前記インデックスとを使用して導出される請求項１記載のシステム。
【請求項３】
前記ＵＲＬによって指定された内容はＨＴＭＬコードである請求項１記載のシステム。
【請求項４】
前記ＵＲＬによって指定された内容はストリーミングメディア内容である請求項１記載のシステム。
【請求項５】
前記メディア装置は前記ＤＶＤからの前記情報により特定されたメニューボタンを表示するものであって、その表示されるメニューボタンは前記ＵＲＬと関連付けられ、前記メニューボタンと前記ＵＲＬとの関連付けは、前記ＧＰＲＭ内の前記現在表示されているメニュのインデックスに基づいてなされていて、
前記ブラウザは前記メニューボタンをユーザが選択することに応答して前記ＵＲＬにより特定された内容を表示する請求項２記載のシステム。
【請求項６】
前記メディア装置は前記メニューボタンをユーザが選択することに応答してボタン番号メッセージを発生し、システムはそのボタン番号メッセージを受信してそれに応答して前記ＤＶＤテキストデータパーサを呼出すイベントスクリプトをさらに含む請求項５記載のシステム。
【請求項７】
前記ＤＶＤテキストデータパーサは、さらに、前記ＤＶＤが初期化されるたびに、前記ＵＲＬを含む前記ＴＸＴＤＴ ＭＧデータ構造を前記ＤＶＤから受信し、
前記ＤＶＤテキストデータパーサは、ボタン番号メッセージを使用して、前記ＴＸＴＤＴ ＭＧデータ構造を指し示し、前記ＵＲＬを得る請求項５記載のシステム。
【請求項８】
ＤＶＤの内容を表す情報を発生するシステムであって、前記ＤＶＤは、前記情報が、汎用ＤＶＤパラメータレジスタ（ＧＰＲＭ）の複数の要素へ挿入するための埋め込まれている命令を既に含むように構成されていて、
前記ＤＶＤを再生して前記情報を発生し、ある特定の埋め込まれている命令を受信すると、現在表示されているメニュのインデックスを前記ＧＰＲＭへ書き込むＤＶＤ装置と、
前記ＤＶＤ装置によって発生された前記情報を受信し、前記情報内のＴＸＴＤＴ ＭＧデータ構造をパースし、そこから、ユニバーサルリソースロケータ（ＵＲＬ）を含んでいるデータを導出するＤＶＤテキストデータパーサと、
前記ＵＲＬに対応するハイパーリンクを表示し、その選択に応答してこのＵＲＬによって指定された内容を表示するブラウザと、
前記情報を受信し、前記情報からビデオ内容を抽出し、ビデオ内容を表示するように構成されたメディア再生装置とを具備しているシステム。
【請求項９】
前記ＵＲＬによって指定された内容はＨＴＭＬコードである請求項８記載のシステム。
【請求項１０】
前記ＵＲＬによって指定された内容はストリーミングメディア内容である請求項８記載のシステム。
【請求項１１】
ＤＶＤの内容を表す情報を発生するシステムであって、前記ＤＶＤは、前記情報が、汎用ＤＶＤパラメータレジスタ（ＧＰＲＭ）の複数の要素へ挿入するための埋め込まれている命令を既に含むように構成されていて、
前記ＤＶＤを再生して前記情報を発生し、ある特定の埋め込まれている命令を受信すると、現在表示されているメニュのインデックスを前記ＧＰＲＭへ書き込むＤＶＤ装置と、
前記ＧＰＲＭの内容に基づいて、ＤＶＤテキストデータ構造をパースし、そこから、ユニバーサルリソースロケータ（ＵＲＬ）を導出するＤＶＤテキストデータパーサと、
前記ＵＲＬに対応するハイパーリンクを表示し、その付勢に応答してこのＵＲＬによって指定された内容を表示するブラウザと、
前記ＤＶＤ装置によって発生された前記情報を受信し、前記情報から前記ＤＶＤテキストデータ構造を抽出し、前記情報からビデオ内容を抽出してビデオ内容を表示するように構成されたメディア再生装置とを具備し、
そのビデオ内容は前記ＵＲＬと関連付けられたボタンを含み、
前記ブラウザはさらに前記ボタンの付勢に応答して前記ＵＲＬによって指定された内容を表示するように構成されているシステム。
【請求項１２】
前記ＤＶＤからの前記情報は前記ＵＲＬと関連付けられた位置情報を含んでいる請求項１１記載のシステム。
【請求項１３】
前記位置情報は前記ＤＶＤの内容内の前記ボタンの位置を示している請求項１２記載のシステム。
【請求項１４】
ＤＶＤの内容を表す情報を発生するシステムであって、前記ＤＶＤは、前記情報が、ＤＶＤに関連する汎用ＤＶＤパラメータレジスタ（ＧＰＲＭ）の複数の要素へ挿入するための埋め込まれている命令を既に含むように構成されていて、
前記ＤＶＤを再生して前記情報を発生し、ある特定の埋め込まれている命令を受信すると、現在表示されているメニュのインデックスを前記ＧＰＲＭへ書き込むＤＶＤ装置と、
前記ＤＶＤ装置によって発生された前記情報からデータ構造を導出し、前記ＧＰＲＭの内容に基づいて、前記情報をパースし、そこから、複数のＵＲＬを導出するＤＶＤテキストデータパーサと、
前記複数のＵＲＬの任意の１つによって指定された内容を表示するブラウザであって、前記任意の１つのＵＲＬを付勢したときに、内容を表示するブラウザと、
前記ＤＶＤ装置によって発生された前記情報を受信し、前記情報からビデオ内容を抽出し、ビデオ内容を表示するように構成されたメディア再生装置であって、さらに、複数のボタンを表示するように構成されたメディア再生装置とを具備し、
前記各ボタンは前記複数のＵＲＬの少なくとも１つと関連付けられ、前記各ボタンと前記少なくとも１つのＵＲＬとの関連付けは汎用ＤＶＤパラメータレジスタ中の前記現在表示されているメニュのインデックスに基づいてなされているシステム。
【請求項１５】
前記情報はＤＶＤテキストデータ構造を含み、
前記ＤＶＤテキストデータパーサは、前記現在表示されているメニュのインデックスと前記ＤＶＤテキストデータ構造とを使用して、前記複数のＵＲＬから選択されたＵＲＬを得る請求項１４記載のシステム。
【請求項１６】
前記ブラウザは、前記メディア再生装置がビデオ内容を表示するのと同時に指定される内容を表示する請求項１４記載のシステム。
【請求項１７】
前記ブラウザは、さらに、任意の１つのＵＲＬに対応するハイパーリンクを表示する請求項１４記載のシステム。
【発明の詳細な説明】
【０００１】
【発明の属する技術分野】
本発明は対話型マルチメディアシステムに関し、特に，本発明は、ワールドワイドウエエブ等からの内容の処理を選択的に制御することのできるＤＶＤシステムおよびＤＶＤシステム等に選択的にアクセスすることのできるウエブベースシステムに関する。
【０００２】
【従来の技術】
デジタル多能的ディスク（或いは別名ではデジタルビデオディスクまたはＤＶＤ）およびワールドワイドウエブ（ＷＷＷ）は非常に強力な対話型マルチメディアツールである。しかしながら、それらは共に欠点を有している。ＤＶＤは高品質のビデオおよびオーディオデータを多量に記憶することができるが、一度製造されるとその内容は本質的にスタチックであり、変更することができず、更新または個人化することができない。また限定された対話は今日の多くのコンピュータリテレイトユーザの要望には合致しない。さらに、ＷＷＷはダイナミックで急速に変化するが、限定された帯域幅のために多数のユーザに対して実時間で高品質のマルチメディア内容を提供することはできない。
【０００３】
【発明が解決しようとする課題】
本発明は、上記のような従来の技術の問題を考慮している。本発明の第１の目的は、ＤＶＤシステムおよびＷＷＷのようなスタチックな、対話型マルチメディア配送システムを統合するシステムを提供することである。
【０００４】
本発明の別の目的は、対話型で容易に変更可能なマルチメディア配送システムを提供することである。
本発明のさらに別の目的は、高品質なマルチメディア内容を提供することのできる高度に対話型でダイナミックなマルチメディアシステムを提供することである。
【０００５】
【課題を解決するための手段】
上述の目的は、本発明の特徴にしたがったシステムを提供することによって達成される。そのシステムはＤＶＤシステムおよびＨＴＭＬフォーマット化されたマテリアルのようなＷＷＷ内容または類似の与えられた情報を統合している。ＷＷＷその他の内容配送システムを介してアクセス可能なサイトに対応するユニバーサルリソースロケータ（ＵＲＬ）情報またはメディアストリームはＤＶＤデータ内のフィールド中に記憶される。ユーザが対応するＵＲＬを有するＤＶＤ素子を付勢するとき、そのサイトからの情報はウエブブラウザに表示されてＤＶＤ観察経験を強化する。反対にＤＶＤシステムは、ユーザがＨＴＭＬ情報をウエブページ等から付勢するとき制御されることができる。この構成は２方向制御を提供し、すなわち、ＨＴＭＬがＤＶＤ内容を制御することができ、およびその反対に制御することができる。ＤＶＤ中に埋め込まれたＷＷＷ情報を有することによって多くの利点が得られ、恐らくその最大のものは“１つのサイズが全て”のテンプレートウエブページに適合する書込み能力であり、それによってＤＶＤにＵＲＬ情報について質問し、ＤＶＤ情報と同期されたＵＲＬに対応するＷＷＷ内容を提供することができる。
これら、およびその他の本発明の目的、特徴および効果は、添付図面を参照にした以下の好ましい実施形態の詳細な説明によってさらに良好に理解されるであろう。
【０００６】
【発明の実施の形態】
図１は、本発明の好ましい実施形態による統合されたＤＶＤ／ＷＷＷシステム（コンバージェンスエネーブルされたシステムとも呼ばれている）を示している。当業者によく知られているように、ウエブブラウザ10はパーソナルコンピュータ等で構成されることが好ましい。ブラウザはウエブ内容とＤＶＤ内容とを同時に表示できることが好ましく、あるいは当業者によって容易に構成されることができる。また、ＤＶＤシステム20はまたＤＶＤ駆動装置およびコンピュータ内に設置された関連するサポート回路であることが好ましいが、コンピュータと通信および制御可能である専用のＤＶＤプレイヤーがこの目的に使用されることができる。さらにＤＶＤシステム20によって再生されるＤＶＤ70が以下詳細に説明されるように構成されることが好ましい。
【０００７】
使用において、ブラウザ10は例えばＨＴＭＬコードによって定められたウエブページ30を表示し、ユーザによって特定されたサイトでブラウザ10に記憶する。ブラウザ10はＤＶＤシステム20からのビデオ内容、またはＷＷＷからのストリーム内容に対して別々または統合された再生フィールド40（すなわちウインドウ、フレームその他のフィールド）を表示することができ、そのビデオ内容は技術的に知られているようにコンピュータのスピーカで再生されるＤＶＤシステム20またはストリーム内容から同期されたオーディオを有している（図２参照）。再生フィールド40はマイクロソフトウインドウズメディア再生装置のようなメディア再生装置80によって生成されることが好ましく、それに対する呼出しは技術的に知られているように表示されるウエブページに対するＨＴＭＬコード中に埋込まれる。その他のマルチメディア再生装置もまたこの目的に適合することができる。
【０００８】
技術的に知られているように、ＤＶＤシステムはＤＶＤ70をナビゲートし、種々の部分にアクセスすることをユーザに可能にするためにボタンまたはその類似物を表示するように構成されている。専用のＤＶＤプレイヤーでは、これらのボタンはＤＶＤプレイヤーのコンソル上のカーソル指令キーによって制御されたカーソル、または遠隔制御等によってアクセスされることができる。しかしながらＤＶＤがメディア再生装置80を使用してコンピュータ中で再生されるときには、ボタンは、図３のステップ110 で示されるようにグラフィックユーザインターフェースと共通であるので、メディア再生装置80によって表示されたボタン上にコンピュータのマウスのカーソルを位置させ、またはクリックすることによってアクセスされる。これが行なわれる場合には、メディア再生装置80はＥＣ  ＤＶＤ  ボタン  変更のようなウインドウズイベントメッセージを発生し、それは特定のボタンが選択または付勢されてその番号を与える（ステップ120 ）ことを示す。好ましい実施形態では、このメッセージはイベントスクリプト50によって変換され、それはＤＶＤテキスト情報パーサ60を呼出し（ステップ130 ）、カスタムオブジェクトは現在ＤＶＤボタンを使用し（ＥＣ  ＤＶＤ  ボタン  変更によってメディア再生装置80により与えられる）、ＵＲＬを得るために以下詳細に説明するようにボタンに対応するＤＶＤ70内の特定のフィールドから抽出される情報（ステップ140 ）を使用し、それはウエブブラウザ10によってアクセス可能であり、ウエブページ30に表示される（ステップ150 ）。
【０００９】
さらに、詳しく説明すると、当業者に知られているように、メディア再生装置80はその再生処理の一部としてＤＶＤ70の現在の状態についての情報を発生することが好ましい。ＤＶＤ70はＤＶＤシステム20に現在の表示されているメニューのインデックスを特定の一般的ＤＶＤパラメータ（ＧＰＲＭ）中に書込ませ、それは例えば、ＤＶＤ命令をその編集期間中にＤＶＤデータセット中に挿入させることによって行なわれる。この作業を自動的に実行するＤＶＤ構成システムの１例は米国特許出願０９／０１０２６７号明細書中に記載されている。この作業を自動的に実行する市販のシステムはカリフォルニアのサン・ジョーのスプルーステクノロジーのＤＶＤマエストロシステムである。
【００１０】
ステップ100 において、メディア再生装置80はＤＶＤがプレイしているときこのレジスタ情報（ＧＰＲＭＳ）をエミュレートし、その方法では、例えばウインドウズのメディア再生装置がプログラムに対してマイクロソフトの文献に記載されているように動作する。したがって、ステップ142 でＧＰＲＭＳから得られるメニューインデックスはステップ144 でＤＶＤのテキストデータ・マネージャー（ＴＸＴＤＴ ＭＧ）構造中の対応するフィールド中へのインデックスとしてメディア再生装置80によって読取られ、このメディア再生装置80はＤＶＤ構成システムによりそこに記憶されたＵＲＬを含んでいる。ＤＶＤ明細についての詳細はＤＶＤデータ内のＴＸＴＤＴ ＭＧ構造が、プロデューサ名、ボーカリスト名、言語等およびＵＲＬに記憶するために使用されるプロバイダ特有フィールドのような特定された情報を保持している種々の予め定められたフィールドを有している。したがって、指定されたＧＰＲＭを監視することにより、イベントスクリプト50のような外部プログラムは現在のメニューインデックスおよび現在のボタンから適切なＵＲＬを容易に導出することができる。
【００１１】
マイクロソフトディレクトショーを使用するシステムに対して、ＤＶＤテキスト情報オブジェクト（ＩＤＶＤテキスト情報パーサと呼ばれるＡＴＬ  ＣＯＭに基づく）はディレクトショーＤＶＤグラフビルダーインターフェースを使用してＤＶＤ70の再生を容易にすることが好ましい。しかしながら他の技術もまた当業者には容易に明らかである。上述のようにＤＶＤテキスト情報パーサはその後ディレクトショーＩＤＶＤ情報インターフェースにアクセスしてテキストデータを読出す。この技術は好ましい実施形態で使用されているが、他の技術がディレクトショーを使用できないプラットフォームにより使用されて、例えばＴＸＴＤＴ ＭＧ構造がＤＶＤ70から直接読出されることができる。
【００１２】
好ましくはイベントスクリプト50はＪａｖａ（登録商標）スクリプトであるが、マイクロソフトビジュアルベーシックスクリプトのような別の構成が使用されてもよい。また、ＤＶＤテキスト情報パーサ60はＡＴＬ  ＣＯＭインターフェースを使用するアクチブＸ制御であることが好ましいが、他のプログラム構成も同様に使用されてもよい。さらに、ＵＲＬが必要となった都度、ＤＶＤテキスト情報パーサ60はＤＶＤシステム20をアクセスするけれども、好ましい実施形態ではＤＶＤ70が初期化される都度、ＴＸＴＤＴ ＭＧ構造がメモリ中に読込まれ、メモリ中の情報が参照される。これは、好ましい実施形態でメディア再生装置80として使用されるウインドウズメディア再生装置は、同じＤＶＤ70に同時にアクセスインターフェースする他のオブジェクトと良好な動作をしないからである。この問題が将来のディレクトショーのバージョンで解決されれば、必要に応じたアクセス方式が同様に良好に動作すると考えられる。
【００１３】
したがって“１つのサイズが全てに適合する”テンプレートウエブページが形成されることが可能であり、それにおいて、フィールド40はＤＶＤ再生を表示し、一方ウインドウ30はウエブ内容を表示する。ユーザがボタンを選択したときメディア再生装置80はＥＣ  ボタン  変更イベントを生成し、それはイベントスクリプト50によって付勢され、ボタン番号とメニュータイトルインデックス番号とに基づいてＤＶＤテキスト情報パーサ60を呼出し、ＤＶＤのＴＸＴＤＴ ＭＧ構造から対応するＵＲＬを獲得する。検索されたＵＲＬ対応する内容はその後ウエブページ30において表示される。同様に、ＥＣ  ドメイン  変化またはＥＣ  チャプター  変化イベントが発生したとき、ＤＶＤテキスト情報パーサ60は対応するＵＲＬをチェックするために呼出され、ウエブページ30中のウエブ内容を再生フィールド40中に表示された現在のチャプターに同期させる。対応するＵＲＬの内容がストリーミング内容に対する基準を含んでいる場合には、ストリーミングビデオがＤＶＤ内容と組合わせて、あるいはＤＶＤ内容の代りに表示されることができる。
【００１４】
同様に、ウエブページ30のＨＴＭＬコードはイベントスクリプト50に呼びを行い、または当業者に明らかなようにＵＲＬを検索するための類似のスクリプトがＴＸＴＤＴ ＭＧ中に記憶される。これらはその後、ハイパーリンクとしてウエブページ30に表示され、ＤＶＤ70中のＵＲＬに対応するウエブ内容30を表示することができるようにブラウザを制御し、或いは類似の動作を行う。したがって上述のようにＤＶＤ表示装置40の特徴のアクセスによってシステムを制御する以外の、またはそれと共同して、システムはウエブページ30の特徴のアクセスすることによって制御されることができる。
【００１５】
上述の好ましい実施形態の説明は、説明の目的で行なわれたものであり、本発明はそれらに限定されるものではない。本発明の変形、修飾、および別の構成は当業者には明白であり、本発明の技術的範囲に包含される。
【００１６】
例えば、好ましい実施形態では、ＤＶＤメニューボタンと関連するＵＲＬはウエブページまたはストリーミングビデオに対して参照される。しかしながら、ＵＲＬは他のタイプのリソースに向けられてもよく、適当な援助アプリケーションを呼出すためにシステムに依存し、例えばＵＲＬはアドーブ・アクロバットＰＤＦフォーマットに向けられ、それによりブラウザがアクセスするときに、アドーブ・アクロバット読取り装置はそれを表示するために自動的に呼出される。さらに、ＵＲＬはデータファイルに指向する必要はなく、対応するボタンが付勢等をされたとき再生されるプログラムを参照することができる。
【００１７】
さらに、本発明の多数の実際的な応用は当業者には明白である。例えば、イベントについての情報およびウエブキャストは電子マガジンの形態で分配されることができる。消費者はＤＶＤにおけるメールで電子マガジンを受取る。ＤＶＤは種々のアーチストのリッチなビデオ内容を、イベント、購入される内容（ウエブキャスト等）の高品質のサンプル、インタービュー、コンサート情報、全て１つのディスクで関連した商品を購入する能力と組合わせることができる。ディスクは別々のサーバに記憶されたＨＴＭＬテンプレートから組立てられた高品質のグラフィック素子を使用するから、観察者の経験はＤＶＤ分配者が欲する頻度で変化されることができる。事実異なった内容はＵＲＬ中のパラメータに基づいて異なった消費者にサービスされる。１つのディスクが観察する全ての人に全体として異なった経験を与えることができることは、システムを非常にフレキシブルで有効な広告媒体にする。
【００１８】
別の潜在的な応用では、多数の言語のトラックおよび多数のカメラアングルのような多数のＤＶＤ特徴の利点を得るためのビジネスまたは販売訓練プログラムを含んだＤＶＤが世界規模で分配される。観察者は直接内容とコンタクトしてそれらの性能に基づいて評価することができる。ＤＶＤはオフライン基準として任意のときに利用可能である。
【００１９】
さらに別の潜在的な応用では、教授は彼のＡＶチームによって学生がそれを得ることができるように複数のＤＶＤに分配する。学生が講義を観察し、世界中で自分の家で最高の教授からのセミナーを受けることができる。クラスワークおよび試験は教授のウエブサイトを介して遠隔的に管理されることができる。チャットボードによる時間表は、所定の時間に行なわれる議論に参加する能力を学生に与え、ＤＶＤは将来の基準として保存される。
【００２０】
このような種々の変形および構成は本発明の技術的範囲に含まれるものと考えられる。
【図面の簡単な説明】
【図１】  本発明の好ましい実施形態による集積されたＤＶＤおよびウエブブラウザシステムのブロック図。
【図２】  本発明の好ましい実施形態によるＤＶＤおよびウエブブラウザ再生を示す例示的なスクリーンの概略図。
【図３】  本発明の好ましい実施形態のＷＷＷまたはストリームメディア内容と関連したＤＶＤ内容を表示するステップのフローチャート。
【図１】
0004514965.tif 000002
【図２】
0004514965.tif 000003
【図３】
0004514965.tif 000004